(57)【要約】【課題】ディジタルグラフィクス接続において、ケーブルの嵩や価格を増大させることなく、より長い距離にわたる低電力接続を実現するシステム及び方法を提供する。【解決手段】本発明の一態様によれば、ＤＶＩ接続等のディジタルグラフィクス接続はクロック信号及び複数データチャネルを表す伝送用に光ファイバ２１２を使用する。ＤＶＩケーブルは、画素データ及びクロック情報をインターリーブするマルチプレクサ４１０と、光信号を光ファイバ２１２上で伝送するレーザーを制御するドライバ回路４２０等の能動回路２１６を含むソース側コネクタ１１６を含む。接続のディスプレイ側のコネクタ１１８は、フォトダイオード４４０、クロック及びデータ再生回路４７０、そして並列電子信号を再生するデマルチプレクサ４８０を含むことが出来る。【選択図】図４
2006115516.tif 000002
【特許請求の範囲】
【請求項１】
ビデオソースをディジタルディスプレイに接続する為のシステムであって、
ディジタル画素データを複数の並列電子信号から直列光信号へと符号化する第１の回路と、
前記光信号を復号化し、前記並列電子信号を再生する第２の回路と、
前記光信号を前記第１の回路から前記第２の回路へと搬送するように結合された光ファイバと、
を具備する、システム。
【請求項２】
前記第１の回路が第１のＤＶＩコネクタへと接続され、前記第１の回路が該ＤＶＩコネクタを介して前記並列電子信号を受信し、
前記第２の回路が第２のＤＶＩコネクタへと接続され、前記第２の回路が該第２のＤＶＩコネクタを介して前記並列電子信号を送信する、
請求項１に記載のシステム。
【請求項３】
前記複数の並列電子信号が、第１のデータチャネル、第２のデータチャネル、及び第３のデータチャネルを表し、前記データチャネルの各々がＴＭＤＳを用いて符号化される、請求項１又は２に記載のシステム。
【請求項４】
前記複数の並列電子信号が更に第４のデータチャネル、第５のデータチャネル、及び第６のデータチャネルを表し、前記第４、第５、及び第６のデータチャネルの各々がＴＭＤＳを用いて符号化される、請求項３に記載のシステム。
【請求項５】
前記第１の回路が更にクロック信号を光信号へと符号化し、前記第２の回路が前記クロック信号を前記光信号から再生する、請求項１乃至４のいずれか一項に記載のシステム。
【請求項６】
前記第１の回路が、
前記並列電子信号を入力信号として受けるマルチプレクサ回路と、
前記マルチプレクサ回路の出力に結合されたドライバ回路と、
前記ドライバ回路の制御下で光信号を生成する光源と、
を備えている、請求項１乃至５のいずれか一項に記載のシステム。
【請求項７】
前記第２の回路が、
前記光信号を前記光ファイバから受信するように結合されたフォトダイオードと、
前記フォトダイオードの信号出力からバイナリ信号を生成するように接続された量子化器と、
前記バイナリ信号からクロック信号を生成するように接続されたクロック再生回路と、
前記クロック信号を前記クロック再生回路から、そして前記バイナリ信号を前記量子化器から受けるように接続され、再生された並列電子信号用に複数の出力ポートを持つデマルチプレクサ回路と、
を備えている、請求項１乃至６のいずれか一項に記載のシステム。
【請求項８】
前記第１の回路、前記第２の回路、及び前記光ファイバが、ＤＶＩケーブル中に組み込まれている、請求項１乃至７のいずれか一項に記載のシステム。
【請求項９】
ディジタルデータをディジタルディスプレイへと伝送するための方法であって、
ケーブルの第１のコネクタを介して、画素のそれぞれの色成分をディジタル的に表す複数の並列電子信号を受信するステップと、
前記ケーブルに組み込まれた第１の回路を使って前記並列電子信号を直列ビットストリームへと変換するステップと、
前記直列ビットストリームを表す光信号を、前記第１の回路を前記ケーブルに一体化された第２の回路へと接続する、前記ケーブル内の光ファイバを介して伝送するステップと、
前記第２の回路を使って前記光信号から前記並列電子信号を再生するステップと、
前記再生された並列電子信号を前記ケーブルの第２のコネクタを介して伝送するステップと、
を含む、方法。
【請求項１０】
前記第１のコネクタを介してクロック信号を受信するステップと、
前記第１の回路を使って前記クロック信号を前記ビットストリームへと符号化するステップと、
前記第２の回路を使って前記光信号から前記クロック信号を再生するステップと、
を更に含む、請求項９に記載の方法。
【発明の詳細な説明】
【技術分野】
【０００１】
本発明は、一般に、ディジタルグラフィックス接続に関し、特に、ビデオソースとディジタルディスプレイとの間の接続に関する。
【背景技術】
【０００２】
最近のコンピュータはディジタルビデオを取り扱うことが出来るものが多いが、その為にこれらはディジタルビデオをアナログディスプレイに好適なアナログ信号へと変換するビデオカード又は同様のデバイスを含んでいる。しかしながらディジタル・フラットパネルモニタ等のディジタルディスプレイであれば、ディジタルデータを直接的に使用することが可能であり、ディジタル−アナログ変換は不要である。ディジタルディスプレイ機能の利点を生かす為に、妥当な距離のケーブル長にわたり高帯域ビデオデータ伝送を可能とする複数のディジタルグラフィック接続規格が提案されている。一例をあげると、ディジタルディスプレイ・ワーキンググループ（ＤＤＷＧ）がディジタルグラフィック接続向けに導入したＤＶＩ（ディジタル・ビジュアル・インターフェース）として知られる規格が挙げられる。
図１はビデオソース１２０からディジタルディスプレイ１３０への従来のＤＶＩ接続１１０を持つシステム１００を描いたブロック図である。ビデオソース１２０は一般にコンピュータであり、ディジタルディスプレイ１３０はフラットパネルディスプレイ、或いは同様のディジタルディスプレイとすることが出来る。ＤＶＩ接続１１０はビデオソース１２０及びディジタルディスプレイ１３０のそれぞれのコネクタ１２６及び１３８への接続用に適切なコネクタ１１６及び１１８を持つマルチワイヤケーブル１１２を含む。ＤＶＩ規格はコネクタ１１６及び１１８の形状及びピン数を定めたものである。説明の便宜上、図１ではケーブル１１２はＲＥＤ、ＧＲＥＥＮ、ＢＬＵＥ、及びＣＬＯＣＫの４つの信号を搬送するものとして概略的に描かれている。図１の信号ＣＬＯＣＫはクロック信号を表し、信号ＲＥＤ、ＧＲＥＥＮ、及びＢＬＵＥはそれぞれ、赤色、緑色、及び青色画素値を表すディジタルビットストリームである。しかしながら、ＤＶＩケーブルは一般に２４本以上のワイヤ及び２４本以上のピンを持つコネクタ（ＤＶＩ−Ｉ又はＤＶＩ−Ｄ）を含んでいる。
【０００３】
ディジタルディスプレイ１３０は一般に、画素値の赤色、緑色、及び青色成分を提供する個別のデータチャネルと同期させる為にクロック信号ＣＬＯＣＫを使う。ＤＶＩは各チャネルＲＥＤ、ＧＲＥＥＮ、及びＢＬＵＥ用の最高バイトレートを約１６５ＭＨｚに制限するが、これは銅線上のデータ伝送に物理学的に課せられた限界から生じる「銅バリア」に一致する。シングルリンクＤＶＩ接続は最高で毎秒１億６５００万画素を表すデータを提供することが出来、これは６０Ｈｚのリフレッシュ速度で１６００×１２００画像を表示するに十分なものである。より大型のディスプレイに関しては、ＤＶＩは画素データ向けに３つの追加チャネルを用いることにより、このデータ速度を倍増するというデュアルリンク構成を提供する。
【発明の開示】
【発明が解決しようとする課題】
【０００４】
ＤＶＩ接続用の各データチャネルは従来からＴＭＤＳ（Transition Minimized Differential Signaling）として知られる技術をデータ伝送に利用して来た。一般にＴＭＤＳは各データチャネルに銅ワイヤのツイストペアを要する。この技術を使用しても尚、一般にケーブルインピーダンス／抵抗が約１０ｍ未満の距離に高帯域伝送を制約してしまう。更に、ＤＶＩ接続に必要とされるケーブルは、多数の銅ワイヤを要する場合がある。ワイヤ数が多いとＤＶＩケーブルはかさばることになり、また高価にもなる。
【０００５】
現行のディジタルグラフィクス接続における限界に鑑みると、ケーブルの嵩や価格を増大させることなく、より長い距離にわたる低電力接続を実現するシステム及び方法が望まれているのである。
【課題を解決するための手段】
【０００６】
本発明の一態様によれば、ＤＶＩ接続等のディジタルグラフィクス接続はクロック信号及び複数データチャネルを表す高帯域伝送用に光ファイバを使用する。一本の光ファイバで、シングルリンク又はデュアルリンクのＤＶＩにおける全データに対して適切な帯域幅を提供することが出来る。嵩張るケーブルを使用する必要がなくなり、光ファイバでの光伝送により実現される、より長い距離にわたるデータ伝送が可能である。光信号伝送を実現する為に、ＤＶＩケーブルに能動回路（例えば必要とされるコネクタ中に）を含ませることが出来る。より具体的には、ビデオソースのコネクタに電子データ及びクロック情報をインターリーブするマルチプレクサと、光信号を光ファイバ上で伝送するレーザーを制御するドライバ回路を含ませる。ディスプレイのコネクタにはフォトダイオード、クロック及びデータ再生回路、そして電気信号を再生するデマルチプレクサを含ませることが出来る。
【０００７】
本発明の具体的な一実施例は、ビデオソースをディジタルディスプレイと接続するためのシステムである。このシステムは、ディジタル画素データを並列電子信号から直列光信号へと符号化する第１の回路と、直列光信号を復号化して並列電子信号を再生する第２の回路と、そして光信号を第１の回路から第２の回路へと搬送するように結合した光ファイバとを具備している。第１の回路は第１のＤＶＩコネクタに接続、或いは組み込むことが出来、第２の回路は第２のＤＶＩコネクタに接続、或いは組み込むことが出来る。
【０００８】
並列電子信号は画素データ（例えば赤色、緑色、及び青色画素値）として複数のデータチャネルを表すものとすることが出来、更にクロック信号も表すことが出来る。より具体的には、並列電子信号は３つの並列電子信号チャネルを含んだものとすることが出来、ここで各データチャネルは画素の対応する色成分の値を示す個別のビットストリームを表すものである。ＤＶＩ接続に関して言えば、電子信号はＴＭＤＳ信号である。
【０００９】
第１の回路は、並列電子信号を入力信号として持つマルチプレクサ回路と、マルチプレクサ回路の出力に結合したドライバ回路と、そして垂直共振器型面発光レーザー（ＶＣＳＥＬ）又はファブリペロ（ＦＰ）レーザーダイオード等、ドライバ回路の制御下で光信号を生成する発光源とを用いて実現することが出来る。第２の回路は、光ファイバからの光信号を受信するように結合した、光源タイプに一致したフォトダイオードと、フォトダイオードからの信号出力からバイナリ信号を生成するように接続した量子化器と、バイナリ信号からクロック信号を生成するように接続したクロック再生回路と、そしてクロック再生回路からクロック信号を、そして量子化器からバイナリ信号を受信するように接続したデマルチプレクサ回路とを用いて実現することが出来る。デマルチプレクサ回路は再生した並列電子信号を出力する為の線を複数持っている。
【００１０】
本発明の他の実施例はＤＶＩケーブルである。ＤＶＩケーブルは適正なコネクタ、第１の回路、第２の回路、及び光ファイバを具備している。第１の回路は、第１のコネクタを通じて受信される複数のＴＭＤＳ信号を光信号へと変換するように作動する。第２の回路は、その光信号からＴＭＤＳ信号を再生し、そのＴＭＤＳ信号を第２のコネクタを介して伝送する。一本の光ファイバが光信号を第１の回路から第２の回路へと運ぶ。ＴＭＤＳ信号はクロック信号及び画素データの並列チャネルを表すものとすることが出来る。
【００１１】
本発明の更に他の実施例は、ディジタルデータをディジタルディスプレイへと伝送する為の方法である。方法は、複数の並列電子信号をケーブルの第１のコネクタを通じて受信するものであるが、この並列電子信号は画素のそれぞれの色成分をディジタル表現したものである。ケーブルに一体化されている第１の回路を用いて並列電子信号はビットストリームへと変換され、これが光ファイバ上をそのビットストリームを表す光信号として伝送される。第２の回路はその光信号から並列電子信号を再生し、再生した並列電子信号をケーブルの第２のコネクタを通じて伝送する。
【発明を実施するための最良の形態】
【００１２】
複数の図を通じて同様又は同一のものを示す場合に同じ符号を使用するものとする。
【００１３】
本発明の一態様によれば、低電力ディジタルグラフィクス接続は、一本の光ファイバ、ビデオソースからの複数の電子信号を光ファイバ上で伝送するための単一の高帯域光信号へと変換する能動入力回路、そして高帯域光信号をディジタルディスプレイ用に個々の電子信号へと変換する能動出力回路を採用することが出来る。ディジタルグラフィクス接続は、ＤＶＩのような既存の規格に準じたものとすることが出来るが、しかしこれに加えて所要送信電力を引き上げてしまうことなく長いケーブルの使用を可能とする。更には、単一の光ファイバが複数の高周波画素データを及びクロック信号を搬送することになる為、ケーブル径や複雑性は最小化される。
【００１４】
図２は、本発明の一実施例に基づくディジタルグラフィクス接続２００を描いたものであるが、ここでは１本の光ファイバ２１２を含むケーブル２１０がビデオソース１２０とディジタルディスプレイ１３０との間を接続している。ビデオソース１２０はディジタルビデオを提供するいずれのソースであっても良く、その中にはコンピュータ、ＤＶＤプレイヤー、或いはＨＤ−ＴＶチューナー等が含まれるがこれらに限られない。ディジタルディスプレイ１３０はいずれのタイプのディジタルビデオディスプレイでも良く、その中にはフラットパネルディスプレイ、ディジタルＣＲＴディスプレイ、プロジェクタ又はＨＤＴＶが含まれるがこれらに限られない。以下においては、ビデオソース１２０及びディジタルディスプレイ１３０がＤＶＩ規格に準じたコネクタ及び回路を有するものである本発明の一実施例を中心に説明する。しかしながら、本発明の原理は複数の高帯域データチャネル又はクロック信号を含む他のタイプのディジタルグラフィクス接続にも適用可能である。
【００１５】
図示したケーブル２１０の実施例には光ファイバ２１２に加え、コネクタ１１６及び１１８と、これらに繋がる能動回路２１６及び２１８が含まれている。能動回路２１６及び２１８は、コネクタ１１６及び１１８へと接続されたものか、或いはこれらと一体に作られたものとすることが出来る。以下により詳細を説明するが、能動回路２１６はマルチプレクサ回路（ＭＵＸ）、レーザー駆動回路、及びレーザーを含み、そして能動回路２１８はフォトダイオード及びデマルチプレクサ回路（ＤＥＭＵＸ）を含む。コネクタ１１６及び１１８はビデオソース１２０及びディジタルディスプレイ１３０のそれぞれのコネクタ１２６及び１３８と接続することが出来る形状及びピン数のものである。
【００１６】
図３Ａ及び図３Ｂは、従来のＤＶＩ−Ｄコネクタ３００及びＤＶＩ−Ｉコネクタ３５０のピンをそれぞれに示したものである。ＤＶＩ−Ｄコネクタ３００はディジタル限定コネクタであり、ＤＶＩ−Ｉコネクタ３５０はディジタル及びアナログ信号両方向けの統合型コネクタである。ＤＶＩ−Ｄコネクタ３００がＤＶＩ−Ｉコネクタ３５０と異なる点は、ディジタルディスプレイにアナログ信号に関係するピンは不要であることから、コネクタ３００においては十字ピンＣ１〜Ｃ５が使用されていないという点である。表１は図３Ａ及び図３Ｂに示した各ピンに係わる信号をリストしたものである。
【００１７】
【表１】
2006115516.tif 000003
【００１８】
ＤＶＩ−Ｄコネクタ３００又はＤＶＩ−Ｉコネクタ３５０は、デュアルリンク構成の画素データ用に６つの高帯域データチャネルＤＡＴＡ０〜ＤＡＴＡ５を使い、シングルリンク構成の画素データ用にデータチャネルのうちの３つＤＡＴＡ０〜ＤＡＴＡ２を使う。データチャネルＤＡＴＡ０〜ＤＡＴＡ５の各々はＴＭＤＳを利用して画素データをソース側コネクタ１１６からディスプレイ側のコネクタ１１８へと伝送し、差動信号対ＤＡＴＡ０−／ＤＡＴＡ０＋〜ＤＡＴＡ５−／ＤＡＴＡ５＋のうちの対応する１つと対応させる。また、各データチャネル対０／５、１／３、又は２／４は対応するシールドを持っている。データチャネルとの同期を得る為の高周波クロック信号も同様にＴＭＤＳを使って伝送され、対応シールドを持つ差動信号対ＣＬＯＣＫ＋及びＣＬＯＣＫ−へと対応させられる。
【００１９】
ＤＶＩ規格はまた、ディスプレイデータチャネル（ＤＤＣ）、ＤＤＣクロックおよびホットプラグ検出信号用に、より低い周波数の信号も提供する。ＤＶＩは更に電源及びグランド（ＧＮＤ）信号も提供する。
【００２０】
図２に示したディジタルグラフィクス接続２００においては、能動回路２１６が複数の高帯域電子データチャネル（例えばシングルリンクＤＶＩ接続においては３つのデータチャネルＤＡＴＡ０〜ＤＡＴＡ２、デュアルリンクＤＶＩ接続においては６つのデータチャネルＤＡＴＡ０〜ＤＡＴＡ５）及び高周波クロック信号（例えばＴＭＤＳクロック信号）をビットストリームへと変換する。光ファイバ２１２を介して伝送される光信号は、このビットストリームを表すものである。能動回路２１８はこの光信号を使って個々のデータチャネル及びクロックチャネルを再生する。
【００２１】
図４は、能動回路２１６及び２１８の一実施例を描いたブロック図である。この実施例においては、能動回路２１６はマルチプレクサ回路４１０、ドライバ回路４２０、及びレーザーダイオード４３０又は他の光源を含む。電子画素データチャネルＲＥＤ、ＧＲＥＥＮ、及びＢＬＵＥのマルチプレクサ回路４１０への入力の各々は、１つ又は２つ（シングルリンク又はデュアルリンクＤＶＩ接続のいずれが望ましいかによる）の対応するデータチャネルＤＡＴＡ０〜ＤＡＴＡ５を表している。信号ＣＬＯＣＫはＤＶＩ接続に用いられるＴＭＤＳクロック信号に対応するものであり、これもマルチプレクサ４１０へと入力される。一実施例においては、シングルリンクＤＶＩ接続用のマルチプレクサ回路４１０は、表１に示した信号ＤＡＴＡ０＋、ＤＡＴＡ１＋、ＤＡＴＡ２＋、及びＣＬＯＣＫ＋を受信するものである。
【００２２】
マルチプレクサ回路４１０における出力選択は、画素データのビットレートよりも高い周波数で作動する。例えば、マルチプレクサ回路４１０のクロック周波数は信号ＤＡＴＡ０＋、ＤＡＴＡ１＋又はＤＡＴＡ２＋のビットレートの数倍（例えば４倍）とすることが出来、こうした場合、マルチプレクサ回路４１０は信号ＤＡＴＡ０＋、ＤＡＴＡ１＋、ＤＡＴＡ２＋、及びＣＬＯＣＫ＋の値を順次表すビットストリームを出力する。例えば、ディスプレイ解像度を１６００×１２００画素としたＵＸＧＡディスプレイ・サイズの場合、各画素データ信号ＤＡＴＡ０＋、ＤＡＴＡ１＋又はＤＡＴＡ２＋は１．６Ｇｂｐｓのビットレートを持つ。この３つの信号（赤、緑、及び青）が組み合わせられると、画素データの合計ビットレートは４．８Ｇｂｐｓ（すなわち１．６Ｇｂｐｓ×３）となり、全画素データ及びクロック信号を連続的に符号化するにはマルチプレクサ回路４１０の動作周波数は４．８ＧＨｚよりも大きくなければならない。ＤＶＩ接続向けのクロック信号ＣＬＯＣＫ＋は一般に、個々のデータ信号のビットレートよりも低い周波数を持っている為、クロック信号の値は画素データの１ビットの各表現にわたって複数回繰り返して良い。より広義的に言えば、マルチプレクサ回路４１０は画素データ及びクロック情報を順次並べて高周波ビットストリームを作るに望ましいいずれかの方法を採用すれば良いのである。
【００２３】
ドライバ回路４２０は、代表的にはＶＣＳＥＬ又はＦＰレーザーであるレーザーダイオード４３０を駆動してマルチプレクサ回路４１０からのビットストリームを単一の光信号として表す。デュアルリンクＤＶＩの最高データ速度は約９．６Ｇｂｐｓであり、これは光通信ネットワークであれば容易に得られるものであることから、光信号はＤＶＩ接続の全帯域をカバーすることが出来る。よってドライバ４２０及びレーザー４３０は光コンピュータネットワークに現在使用されているタイプのものとすることが出来る。同様に、レーザー４３０からの光信号も周知の光カプラーを用いて一般的な光ファイバ２１２へと結合することが出来る。例えばドライバ４２０、レーザー４３０及び付随する光カプラーは、ギガビットイーサーネット又は１０ギガビットイーサーネット製品に使用されるもののような市販の製品を使って実現することが出来る。
【００２４】
光ファイバ２１２はレーザー４３０からの光信号を、ケーブル４００のディスプレイ側にある能動回路２１８へと搬送する。光ファイバ２１２は光データネットワークに一般的に用いられているもののような、シールディングまたは保護カバーで覆われた従来のマルチモード又はシングルモードファイバとすることが出来る。
【００２５】
能動回路２１８は光ファイバ２１２から光信号を受信し、この光信号をＤＶＩ接続に要求される通りの並列データ及びクロック信号へと変換する。図４に描いた能動回路２１８の実施例は、この機能を実行する為にフォトダイオード４４０、トランスインピーダンスアンプ（ＴＩＡ）４５０、量子化器４６０、クロックデータ再生回路４７０、及びデマルチプレクサ回路４８０を含んでいる。フォトダイオード４４０は光ファイバ２１２から光カプラー（図示せず）を介して光信号を受信し、電子信号を生成する。ＴＩＡ４５０及び量子化器４６０はフォトダイオード４４０からの信号を、論理ハイ及び論理ローに対応する電圧レベルを持つバイナリ信号へと変換する。
【００２６】
クロックデータ再生回路４７０は量子化器４６０からのバイナリ信号を分析してクロック信号を生成する。デマルチプレクサ回路４８０はこのクロック信号（能動回路２１６のマルチプレクサ回路４１０において使われているものと同じ周波数が望ましい）を使う。デマルチプレクサ回路４８０は量子化器４６０からのバイナリ信号をサンプリングすることにより並列信号ＲＥＤ、ＧＲＥＥＮ、ＢＬＵＥ、及びＣＬＯＣＫ（順に赤色画素データ、緑色画素データ、青色画素データ、及びクロック信号）を生成する。すると信号ＲＥＤ、ＧＲＥＥＮ、ＢＬＵＥ、及びＣＬＯＣＫはＴＭＤＳ信号へと変換され、ＤＶＩコネクタの適切なピンへと出力することが出来る。
【００２７】
上述した単一の光ファイバ２１２はビデオソース１２０からの高帯域信号の全てをディジタルディスプレイ１３０へと搬送することが出来る。ＤＶＩ規格において実現される他の信号は省略することも、或いは供給することも出来る。例えば、ディスプレイ側において電圧アダプタは、ディスプレイ側ＤＶＩコネクタを通じた出力と、能動回路２１８での利用とに供する為に供給電圧とグランドを提供することが出来る（能動回路２１６はビデオソース側のＤＶＩコネクタを通じて提供される電力とグランドを利用して作動させることが出来る）。ディスプレイデータ信号及び付随するＤＤＳクロックは一般にビデオソースとディスプレイ間を行き来するものであるが、光トランスミッタ（図示せず）がディスプレイ側に付加されており、光レシーバ（図示せず）がビデオソース側に付加されている場合においては、光ケーブル２１２上で送信することが出来る。代わりに、ディスプレイデータ信号及び付随するＤＤＳクロック信号が、相対的に長い距離を、光ファイバ２１２と並行する銅線（図示せず）により伝送することが出来る、より低い周波数の信号である場合も考えられる。同様に、ホットプラグ検出信号は省略しても、シミュレーションしても、光ファイバ２１２を介して送信しても、或いは付随するワイヤを通じて電子的に伝送しても良い。
【００２８】
本発明を特定の実施例に基づいて説明してきたが、本記載内容は本発明の応用例として説明したものであり、本発明を限定するものと捉えられるべきものではない。本願に開示した実施例に様々な改変を加えたり、その特徴を組み合わせたりしても、本願請求項に定義される本発明の範囲に入るものである。
【図面の簡単な説明】
【００２９】
【図１】従来のＤＶＩ接続を持つシステムのブロック図である。
【図２】本発明の一実施例に基づく光リンクＤＶＩ接続を持つシステムのブロック図である。
【図３Ａ】従来のＤＶＩ−Ｄコネクタのピン構成を示す図である。
【図３Ｂ】従来のＤＶＩ−Ｉコネクタのピン構成を示す図である。
【図４】本発明の一実施例に基づく能動回路を含むＤＶＩケーブルを描いた図である。
【符号の説明】
【００３０】
１１６：第１のＤＶＩコネクタ
１１８：第２のＤＶＩコネクタ
１２０：ビデオソース
１３０：ディジタルディスプレイ
２１０：ケーブル
２１２：光ファイバ
２１６：第１の回路
２１８：第２の回路
４００：ＤＶＩケーブル
４１０：マルチプレクサ回路
４２０：ドライバ
４３０：光源
４４０：フォトダイオード
４６０：量子化器
４７０：クロック再生回路
４８０：デマルチプレクサ回路
【図１】
2006115516.tif 000004
【図２】
2006115516.tif 000005
【図３Ａ】
2006115516.tif 000006
【図３Ｂ】
2006115516.tif 000007
【図４】
2006115516.tif 000008